(57)【要約】【課題】圧電素子を被振動伝達部材に押圧接触する力を簡単な操作によって調整可能なレンズ駆動装置を提供することを目的とする。【解決手段】駆動源である略矩形状の圧電素子と当接して配置される被振動伝達部材が、当該圧電素子の振動を駆動力とし、当該駆動力を回転運動に変換し、当該回転運動に変換された駆動力を伝達することでレンズ群を駆動させるレンズ駆動装置において、当該圧電素子の一端に突起状の出力部を有し、当該出力部が当該被振動伝達部材と当接し、当該圧電素子の他端に、当該圧電素子を当該被振動伝達部材側に押圧する与圧機構を備え、当該与圧機構が付与する押圧力を調整する押圧力可変調整手段を有することを特徴とするレンズ駆動装置を採用した。【選択図】図２
2013183467.tif 000002
【特許請求の範囲】
【請求項１】
駆動源である略矩形状の圧電素子と当接して配置される被振動伝達部材が、当該圧電素子の振動を駆動力とし、当該駆動力を回転運動に変換し、当該回転運動に変換された駆動力を伝達することでレンズ群を駆動させるレンズ駆動装置において、
当該圧電素子の一端に突起状の出力部を有し、当該出力部が当該被振動伝達部材と当接し、
当該圧電素子の他端に、当該圧電素子を当該被振動伝達部材側に押圧する与圧機構を備え、当該与圧機構が付与する押圧力を調整する押圧力可変調整手段を有することを特徴とするレンズ駆動装置。
【請求項２】
前記与圧機構は、前記圧電素子の他端に一端側を当接配置する与圧伝達部材と、当該与圧伝達部材の他端側を挟み込む一対の挟み込み部材とを備え、
当該与圧伝達部材の他端側を当該挟み込み部材間に介入させた状態で配置し、
前記押圧力可変調整手段は、当該一対の挟み込み部材を近接移動させたときに、当該与圧伝達部材が介入した方向とは逆方向に押し出されようとする力を利用して、当該圧電素子が当該被振動伝達部材側に押圧する力を調整する請求項１に記載のレンズ駆動装置。
【請求項３】
前記与圧機構は、
前記与圧伝達部材の他端側における断面形状が、先細の略楔状を呈し、
前記一対の挟み込み部材が、当該与圧伝達部材側の当該略楔状部分を介入可能な断面略Ｖ字状の溝を形成した請求項２に記載のレンズ駆動装置。
【請求項４】
前記与圧機構は、前記圧電素子の設置面側から順に、一対の挟み込み部材と、当該挟み込み部材同士を近接移動させるよう作用する板状ばね部材と、当該板状ばね部材が脱落するのを防止するためのばね止め部材とを配置し、これら部材がボルトにより貫通されてナットにより締結され、
前記押圧力可変調整手段は、当該ナットを回転させて当該ボルトとの螺合位置を変えることで、当該ばね止め部材と当該挟み込み部材との間に挟まれた板状ばね部材の弾性力を変化させ、当該板状ばね部材が当該挟み込み部材同士の近接する方向へ向けた力を調整することにより、当該与圧伝達部材が当該圧電素子を押圧する力を調整する請求項１〜は請求項３のいずれかに記載のレンズ駆動装置。
【請求項５】
前記与圧伝達部材及び前記一対の挟み込み部材は、金属又はエンジニアリングプラスチックからなる請求項１〜請求項４のいずれかに記載のレンズ駆動装置。
【発明の詳細な説明】
【技術分野】
【０００１】
本件発明は、駆動源である略矩形状の圧電素子と当接して配置される被振動伝達部材が、当該圧電素子の振動を受けて、当該振動を回転運動に変換し、当該回転運動に変換された駆動力を伝達することでレンズ群を駆動させるレンズ駆動装置に関する。
【背景技術】
【０００２】
従来より、圧電素子からなる振動体が発生した振動により当該圧電素子の先端に備えられる出力部を楕円運動させ、当該出力部が押圧接触した被振動伝達部材を回転運動させ、この回転運動に変換された駆動力を伝達することで、レンズ群を駆動させることが行われている。例えば、圧電素子からなる振動体に所定の電圧を印加することにより、当該振動体を振動させて所定の駆動力を発生させるものとして、超音波モータが挙げられる。ここで、超音波モータは、低速高トルクを実現可能であり、静粛性に優れ、小型軽量化に適するといった特徴を有し、フォーカス機能やズーム機能を備えた光学機器等におけるレンズ駆動装置に好適に用いられている。
【０００３】
なお、超音波モータを用いてレンズ群を駆動させるには、振動体に備わる出力部において発生される楕円運動を、被振動伝達部材に伝達するために、当該出力部を被振動伝達部材に押圧接触させる必要があるため、当該振動体を被振動伝達部材側に押圧するための与圧機構が備えられる。この与圧機構は、振動体の出力部が備えられる側面とは反対の側面側から押圧することにより、当該振動体を当該被振動伝達部材に押圧接触させ、当該振動体の出力部により発生された楕円運動を確実に当該被振動伝達部材に伝達させるべく備えられるものである。
【０００４】
例えば、従来の超音波モータを用いたレンズ駆動装置に関し、特許文献１には、振動モータユニットに関する発明が開示されている。ここで、特許文献１に開示の振動モータは、振動子が圧電素子からなるものでもあり、超音波モータとして捉えることが出来る。具体的には、特許文献１の振動モータユニットは、「振動子を振動させ、その振動を利用することにより動力を伝える振動モータユニットであって、振動子と、前記振動子を所定の方向に付勢する与圧機構と、前記振動子及び与圧機構を保持するベース部材とを備え、前記振動子及び与圧機構は、当該振動子と与圧機構との間に前記ベース部材を挟む位置で保持される」ことを特徴としたものである。
【０００５】
ちなみに、特許文献１に開示の与圧機構は、振動子が付勢される方向と略平行となる方向に伸縮する弾性材と、与圧ガイドとを備え、弾性材の付勢力により当該振動子を所定方向に伝達させて当該振動子を被駆動伝達部材に押圧接触させる構成であり、弾性材としてばね等を用いる旨の開示がされている。また、特許文献１の図１等には、与圧機構に用いられる弾性材として、コイル状ばね部材を使用することが具体的に示されている。
【先行技術文献】
【特許文献】
【０００６】
【特許文献１】特開２０１０−２０６９０７号公報
【発明の概要】
【発明が解決しようとする課題】
【０００７】
しかし、特許文献１に開示の振動モータは、振動子を被駆動伝達部材へ押圧接触させるために、当該振動子に所定の与圧を継続して付加する構成であるが、構成される部材同士が接触して経年摩耗が生じた場合に、長期間所定の与圧を付加することが困難となる。なお、この場合、部品の交換が必要となるが、与圧の調整等を含めた再組み立て作業に手間を要し、また、交換部品のストックが無いと直ちに摩耗部品の交換作業を行うことが出来ない等の不都合が生じる。
【０００８】
また、特許文献１に開示の振動モータのように、振動体に適正の与圧を加える手段としてコイル状ばね部材を用いた場合、振動体の振動が当該コイル状ばね部材に伝達されて共振現象等が発生し、異常音の発生や与圧の変動が生じ易くなる。本来、超音波モータは、駆動原理的には稼働時の静音性が特徴の一つとしてあるため、超音波モータを用いるレンズ駆動装置には静音設計が望まれる。また、特許文献１に開示の振動モータのように、コイル状ばね部材を用いて振動体に与圧を加える構造を採用すると、このコイル状ばね部材を配置するにあたって部品点数が増加し、超音波モータの小型化を図ることが出来なくなる。
【０００９】
本件発明は、上述した問題点を解決するものであり、超音波モータを用いたレンズ駆動装置において、圧電素子からなる振動体を被振動伝達部材に押圧接触する力を簡単な操作によって調整可能なレンズ駆動装置を提供することを目的とする。
【課題を解決するための手段】
【００１０】
そこで、本発明者等は、鋭意研究を行った結果、以下の超音波モータを採用することで上記課題を達成するに到った。
【００１１】
本件発明に係るレンズ駆動装置は、駆動源である略矩形状の圧電素子と当接して配置される被振動伝達部材が、当該圧電素子の振動を駆動力とし、当該駆動力を回転運動に変換し、当該回転運動に変換された駆動力を伝達することでレンズ群を駆動させるレンズ駆動装置において、当該圧電素子の一端に突起状の出力部を有し、当該出力部が当該被振動伝達部材と当接し、当該圧電素子の他端に、当該圧電素子を当該被振動伝達部材側に押圧する与圧機構を備え、当該与圧機構が付与する押圧力を調整する押圧力可変調整手段を有することを特徴とする。
【００１２】
本件発明に係るレンズ駆動装置において、前記与圧機構は、前記圧電素子の他端に一端側を当接配置する与圧伝達部材と、当該与圧伝達部材の他端側を挟み込む一対の挟み込み部材とを備え、当該与圧伝達部材の他端側を当該挟み込み部材間に介入させた状態で配置し、前記押圧力可変調整手段は、当該挟み込み部材同士を近接移動させたときに、当該与圧伝達部材が介入した方向とは逆方向に押し出されようとする力を利用して、当該圧電素子が当該被振動伝達部材側に押圧する力を調整することが好ましい。
【００１３】
本件発明に係るレンズ駆動装置において、前記与圧機構は、前記与圧伝達部材の他端側における断面形状が、先細の略楔状を呈し、前記一対の挟み込み部材が、当該与圧伝達部材側の当該略楔状部分を介入可能な断面略Ｖ字状の溝を形成したことが好ましい。
【００１４】
本件発明に係るレンズ駆動装置において、前記与圧機構は、前記圧電素子の設置面側から順に、一対の挟み込み部材と、当該挟み込み部材同士を近接移動させるよう作用する板状ばね部材と、当該板状ばね部材が脱落するのを防止するためのばね止め部材とを配置し、これら部材がボルトにより貫通されてナットにより締結され、前記押圧力可変調整手段は、当該ナットを回転させて当該ボルトとの螺合位置を変えることで、当該ばね止め部材と当該挟み込み部材との間に挟まれた板状ばね部材の弾性力を変化させ、当該板状ばね部材が当該挟み込み部材同士の近接する方向へ向けた力を調整することにより、当該与圧伝達部材が当該圧電素子を押圧する力を調整することが好ましい。
【００１５】
本件発明に係るレンズ駆動装置において、前記与圧伝達部材及び前記一対の挟み込み部材は、金属又はエンジニアリングプラスチックからなることが好ましい。
【発明の効果】
【００１６】
本件発明に係るレンズ駆動装置は、圧電素子の出力部を被振動伝達部材に押圧接触させるための与圧機構が、付与する押圧力を可変調整することが出来る。その結果、圧電素子の被振動伝達部材側への押圧力を最適に設定することが出来、この押圧力を長期間にわたって好ましい範囲に設定可能となり、駆動力の伝達不良を抑制することが出来る。
【図面の簡単な説明】
【００１７】
【図１】本件発明に係るレンズ駆動装置における与圧機構を説明するために超音波モータの一実施の形態を示した平面図である。
【図２】図１のＡ−Ａ線における断面図である。
【図３】本件発明に係るレンズ駆動装置の一実施形態を示した模式断面図である。
【図４】図４のレンズ鏡筒内の配置を像面側からみた概略図である。
【図５】（ａ）は、本件発明の与圧機構において与圧を付加する前の状態を説明する図であり、（ｂ）は、本件発明の与圧機構において与圧を付加した後の状態を説明する図である。
【発明を実施するための形態】
【００１８】
以下、図面を参照して、本発明に係るレンズ駆動装置の好ましい実施の形態を説明する。
【００１９】
本件発明に係るレンズ駆動装置１は、駆動源である略矩形状の圧電素子２と当接して配置される被振動伝達部材２０が、当該圧電素子２の振動を受けて、当該振動を回転運動に変換し、当該回転運動に変換された駆動力を伝達することでレンズ５０群を駆動させるものである。そして、本件発明に係るレンズ駆動装置１において、当該圧電素子２の一端２ａに突起状の出力部３を有し、当該出力部３が当該被振動伝達部材２０と当接し、当該圧電素子２の他端２ｂに、当該圧電素子２を当該被振動伝達部材２０側に押圧する与圧機構１０を備え、当該与圧機構１０が付与する押圧力を調整する押圧力可変調整手段を有することを特徴とする。
【００２０】
図１は、本件発明に係るレンズ駆動装置における与圧機構を説明するために超音波モータの一実施の形態を示した平面図である。また、図２は、図１のＡ−Ａ断面図である。図１及び図２に示すように、超音波モータの圧電素子２は、その一方側の側面２ａに有する出力部３が被振動伝達部材２０に当接する位置に配置され、他方の側面２ｂには与圧機構１０が当接配置される。また、被振動伝達部材２０及び与圧機構１０は、それぞれベース部材７に取り付けられ、振動体となる圧電素子２は、ベース部材７に取り付けられた振動体ホルダ５に収容保持される。
【００２１】
本実施の形態におけるレンズ駆動装置１は、圧電素子２の振動を駆動源とし、圧電素子２に備わる出力部３を楕円運動させて、被振動伝達部材２０を回転させ、当該被振動伝達部材２０に従動して回転する転動部材２４を介して駆動力出力軸部２１の一端側より駆動力を出力する。ここで、当該圧電素子２に備わる出力部３は、圧電素子２に容易に分離出来ない状態で接着されている。また、当該駆動力出力軸部２１は、ベース部材７に固定される駆動力出力軸押さえ環２６により回動可能に支持されている。また、当該転動部材２４は、当該転動部材２４を摺接保持する断面略円弧状の転動部材受け溝２５内に配置されることで、当該駆動力出力軸部２１の周りをスムーズに回転することが出来る。
【００２２】
まず、図３及び図４を参照して、本件発明に係るレンズ駆動装置１のレンズ駆動機構について簡単に説明する。図３は本件発明に係るレンズ駆動装置の一実施形態を示した模式断面図である。また、図４は、図３のレンズ鏡筒内の配置を像面側からみた概略図である。なお、図３においては、図の見易さを考慮し、フォーカスレンズ以外のレンズとそれに係わる部材を省略した。
【００２３】
本件発明に係るレンズ駆動装置１のレンズ駆動機構は、例えば、固定筒３１と、当該固定筒３１の外周に貫挿配置されるカム筒３２と、圧電素子２の出力部３と当接する駆動力出力軸部２１の一端側に設けられたギヤ２３と噛合して光軸Ｏを中心に回転するフォーカスギヤリング３７と、一端側を当該フォーカスギヤリング３７に結合し、他端側をカム筒３２の外周に設けられた突起部３５に結合したアーム部材３６とを備える。そして、当該レンズ駆動機構において、当該駆動力出力軸部２１の一端側に固定されるギヤ２３の回転により、カム筒３２を回転させて固定筒３１をスライド移動させ、当該固定筒３１にカムローラ３４を介して保持されるレンズ保持枠３３と共にレンズ鏡筒３０内に収容されたフォーカスレンズ５０を光軸Ｏ方向へスライド移動させる。
【００２４】
次に、本件発明に係るレンズ駆動装置１における与圧機構１０について説明する。本件発明に係るレンズ駆動装置１に備えられる超音波モータは、被振動伝達部材２０に圧電素子２の振動を駆動力として伝達させるために、圧電素子２の出力部３を被振動伝達部材２０に押圧接触させる。そのため、本件発明の与圧機構１０は、圧電素子２の出力部３を被振動伝達部材の面に対して略垂直となる角度で付勢することが好ましく、これにより、圧電素子２に備わる出力部３より出力される駆動力を被振動伝達部材２０に効率良く伝えることが出来る。なお、このときに、圧電素子２において、出力部３が備えられる面２ａとは反対側の面２ｂに与圧機構１０を設けることで、圧電素子２の出力部３が被振動伝達部材２０に適正な力で押圧され、超音波モータから出力される駆動力が更に効率良く伝達されることとなる。
【００２５】
ここで、本件発明に係るレンズ駆動装置１は、圧電素子２を当該被振動伝達部材２０側に押圧する与圧機構１０を備え、当該与圧機構１０が付与する押圧力を調整する押圧力可変調整手段を有することで、部品ばらつきによる当該押圧力の最適値変動に際しても最適値に容易に設定可能となり、且つ構成される部材同士が接触して経年摩耗が生じて与圧に変化が生じた場合であっても、煩わしい与圧の調整等を含めた再組み立て作業を行う必要がない。
【００２６】
また、本件発明に係るレンズ駆動装置１において、与圧機構１０は、圧電素子２の他端２ｂに一端側を当接配置する与圧伝達部材１１と、当該与圧伝達部材１１の他端側を挟み込む一対の挟み込み部材１２，１３とを備え、当該与圧伝達部材１１の他端側を当該挟み込み部材１２，１３間に介入させた状態で配置する。そして、押圧力可変調整手段は、当該挟み込み部材１２，１３同士を近接移動させたときに、当該与圧伝達部材１１が介入した方向とは逆方向に押し出されようとする力を利用して、当該圧電素子２が当該被振動伝達部材２０側に押圧する力を調整することが好ましい。
【００２７】
図５（ａ）は、本件発明の与圧機構において与圧を付加する前の状態を説明する図であり、図５（ｂ）は、本件発明の与圧機構において与圧を付加した後の状態を説明する図である。本件発明の与圧機構１０は、圧電素子２の他端２ｂに一端側を当接配置する与圧伝達部材１１と、当該与圧伝達部材１１の他端側を挟み込む一対の挟み込み部材１２，１３とを備え、当該与圧伝達部材１１の他端側を当該挟み込み部材１２，１３間に介入させた状態で配置する簡単な構成であることで、組み付け性及びメンテナンス性の向上を図ることが出来る。また、本件発明の与圧機構１０の押圧力可変調整手段は、当該挟み込み部材１２，１３同士を図５（ａ）に示す位置から図５（ｂ）に示す位置へ近接移動させたときに、当該与圧伝達部材１１が介入した方向とは逆方向に押し出されようとする力を利用したものである。従って、本件発明の与圧機構１０によれば、当該圧電素子２が当該被振動伝達部材２０側に押圧する力の調整を容易に行うことが可能となる。また、当該一対の挟み込み部材１２，１３をベース部材７に対して垂直に配置することで、当該与圧機構１０の省スペース化を図ることが可能となる。
【００２８】
ちなみに、図１及び図２には、駆動力出力軸部２１の他端側にもギヤ２２が固定されているのが示されているが、フォーカスレンズ５０を光軸Ｏ方向へスライド移動させるための駆動力の伝達経路は、本件発明に係るレンズ駆動装置１における超音波モータから出力される駆動力の伝達経路とは異なる伝達経路を設けて、超音波モータ以外の駆動源からの駆動力を当該ギヤ２２を介して伝達させてレンズ５０群を駆動させることも出来る。図１及び図２に示すレンズ駆動機構においては、例えば、構成される部材同士を摩擦力により結合させ、この摩擦力による結合状態の保持と解離を利用して駆動力の伝達経路を切り換えることが出来る。図１及び図２に示すように、本件発明に係るレンズ駆動装置１は、省スペース化を実現出来るため、例えば、２系統からなる駆動力の伝達経路を備え、駆動源の駆動力を用いて行うオートフォーカス動作中に、撮影者が手動で行うマニュアルフォーカス動作の割り込みを可能にした、所謂フルタイムマニュアルフォーカス機能を備えたカメラにも好適に用いることが出来る。
【００２９】
また、本件発明に係るレンズ駆動装置１において、与圧機構１０は、与圧伝達部材１１の他端側における断面形状が、先細の略楔状を呈し、一対の挟み込み部材１２，１３が、当該与圧伝達部材１１側の当該略楔状部分を介入可能な断面略Ｖ字状の溝を形成したことが好ましい。
【００３０】
本件発明の与圧機構１０は、与圧伝達部材１１の他端側における断面形状が、先細の略楔状を呈し、一対の挟み込み部材１２，１３が、当該与圧伝達部材１１側の当該略楔状部分を介入可能な断面略Ｖ字状の溝を形成することで、当該与圧伝達部材１１を当該挟み込み部材１２，１３間に安定して配置させることが出来る。従って、本件発明の与圧機構１０は、与圧伝達部材１１と一対の挟み込み部材１２，１３の形状を上述した形状とすることで、当該挟み込み部材１２，１３同士を近接移動させる際に当該与圧伝達部材１１を安定して移動させることが出来、当該与圧伝達部材１１が圧電素子２を押圧する力をより正確に調整することが出来る。
【００３１】
また、本件発明に係るレンズ駆動装置１において、与圧機構１０は、圧電素子２の設置面側から順に、一対の挟み込み部材１２，１３と、当該挟み込み部材１２，１３同士を近接移動させるよう作用する板状ばね部材１４と、当該板状ばね部材１４が脱落するのを防止するためのばね止め部材１５とを配置する。また、これら部材１２、１３、１４、１５がボルト１７により貫通されてナット１６により締結される。なお、このときに、挟み込み部材１２とボルト１７とは、一体としても良い。そして、本件発明の押圧力可変調整手段は、当該ナット１６を回転させて当該ボルト１７との螺合位置を変えることで、当該ばね止め部材１５と当該挟み込み部材１２，１３間に挟まれた板状ばね部材１４の弾性力を変化させ、当該板状ばね部材１４が当該挟み込み部材１２，１３同士の近接する方向へ向けた力を調整することにより、当該与圧伝達部材１１が当該圧電素子２を押圧する力を調整することが好ましい。
【００３２】
ここで、図５には、与圧伝達部材１１にガイド軸部挿通孔１１ａが設けられ、このガイド軸部挿通孔１１ａに、与圧伝達部材用ガイド軸部１８の挿通されているのが示されている。このガイド軸部挿通孔１１ａは、断面が長穴形状であり、ベース部材７に固定された与圧伝達部材用ガイド軸部１８を挿通することで、与圧伝達部材１１が当該与圧伝達部材用ガイド軸部１８を基点に摺動することが出来る。当該ガイド軸部挿通孔１１ａは、その断面が圧電素子２の他端２ｂ面に対して直交する方向に延びた長孔状で、且つ当該与圧伝達部材用ガイド軸部１８が同方向に摺接移動可能な形状であることで、与圧伝達部材１１の当該圧電素子２を押圧するための移動を阻害しない。また、当該与圧伝達部材用ガイド軸部１８は、圧電素子２の長手方向中心線と当該圧電素子２の出力部３と駆動力出力軸部２１の軸中心とを同一直線上に配置し、この直線の延長線上に配置することで、当該与圧伝達部材１１が圧電素子２を押圧する力の効率化を最大限に図ることが可能となる。ちなみに、当該与圧伝達部材用ガイド軸部１８は、ボルト１７の軸に対して平行となるようにベース部材７に固定されることで、挟み込み部材１２，１３同士の近接する方向へ移動する量に対する、当該与圧伝達部材１１が圧電素子２を押圧する力の効率化を図ることが出来る。
【００３３】
本件発明の与圧機構１０は、圧電素子２に適正の与圧を加える手段として板状ばね部材１４を用いることで、従来のコイル状ばねを用いた場合と比較して、圧電素子２の振動が当該板状ばね部材１４に伝達されることによる共振現象が発生し難くなり、異常音の発生や与圧の変動も生じ難くなる。また、本件発明の与圧機構１０は、板状ばね部材１４を用いることで、部品点数を増加させず、超音波モータの小型化を図ることが出来る。また、本件発明の押圧力可変調整手段は、板状ばね部材１４を用いた簡易な構成でありながらも、例えば当該板状ばね部材１４を波形ばねとし、波数を増減するだけでばねの硬さを簡単に調整することが出来、更に、ナット１６を回転させてボルト１７との螺合位置を変えるだけで板状ばね部材１４の弾性力を変化させることが出来るため、圧電素子２に常時適正の与圧を加えることが出来る。なお、本件発明の与圧機構１０において、板状ばね部材１４は、例えば、軸対称形であり対称性を備えた弾性体である、皿ばね等を好適に用いることが出来る。
【００３４】
なお、本件発明に係るレンズ駆動装置１は、図示した例の他、一対の挟み込み部材１２，１３の配列をベース部材７に対して略平行となるように設けることも出来る。すなわち、本件発明に係るレンズ駆動装置１は、与圧機構１０の一対の挟み込み部材１２，１３の配列をベース部材７に対して垂直に配置することが困難である場合に、適宜設置位置を変更することが出来る。従って、本件発明に係るレンズ駆動装置１によれば、与圧機構１０の設置場所に制約がある場合であっても、レンズ駆動力の伝達に無駄が無く、駆動効率を高めることが出来る。
【００３５】
また、本件発明に係るレンズ駆動装置１において、与圧伝達部材１１及び一対の挟み込み部材１２，１３は、金属又はエンジニアリングプラスチックからなることが好ましい。
【００３６】
本件発明に係るレンズ駆動装置１において、与圧伝達部材１１の材料として、金属又はエンジニアリングプラスチックを採用することで、圧電素子２と与圧伝達部材１１との接触状態が良好になり、圧電素子２の振動時におけるがたつきを抑制することが出来る。また、一対の挟み込み部材１２，１３の材料として、当該与圧伝達部材１１と同様に金属又はエンジニアリングプラスチックエンジニアリングプラスチックを採用することで、当該一対の挟み込み部材１２，１３を近接移動させたときの当該与圧伝達部材１１の移動をスムーズに行うことが可能となる。ちなみに、本件発明の与圧伝達部材１１の材料に、金属として例えばステンレス材（ＳＵＳ３０４等）等を採用することで、長期間にわたって圧電素子２を被振動伝達部材２０側に所定の力で押圧することが可能となる。また、本件発明の与圧伝達部材１１の材料に、エンジニアリングプラスチックとして、液晶ポリマー又はポリエーテルケトンを採用した場合でも、長期間にわたって圧電素子２を被振動伝達部材２０側に所定の力で押圧することが可能となる。
【産業上の利用可能性】
【００３７】
本件発明に係るレンズ駆動装置は、圧電素子の出力部を被振動伝達部材に押圧接触させるための与圧機構が、付与する押圧力を可変調整することが出来る。その結果、圧電素子の被振動伝達部材側への押圧力を長期間にわたって所定の範囲に設定可能となり、駆動力の伝達を常に良好な状態に維持することが出来る。また、本件発明に係るレンズ駆動装置を制約がある設置場合に設置する場合であっても、圧電素子を被振動伝達部材に安定して押圧出来るので、レンズ駆動装置を備えたカメラに好適に用いることが出来る。
【符号の説明】
【００３８】
１            レンズ駆動装置
２            圧電素子
３            出力部
５            振動体ホルダ
７            ベース部材
１０          与圧機構
１１          与圧伝達部材
１１ａ        ガイド軸部挿通孔
１２、１３    一対の挟み込み部材
１４          板状ばね部材
１５          ばね止め部材
１６          ナット
１７          ボルト
１８          与圧伝達部材用ガイド軸部
２０          被振動伝達部材
２１          駆動力出力軸部
２２          ギヤ
２３          ギヤ
２４          転動部材
２５          転動部材受け溝
２６          駆動力出力軸押さえ環
【図１】
2013183467.tif 000003
【図２】
2013183467.tif 000004
【図３】
2013183467.tif 000005
【図４】
2013183467.tif 000006
【図５】
2013183467.tif 000007